(57)【特許請求の範囲】
【請求項１】
装置本体側、或はこの装置本体へ開閉可能に取り付けられる開閉体のいずれか一方へ取り付けられる取付部材の軸受プレートに、大径部と小径部と雄ネジ部とを有するシャフトの小径部を軸受けさせ、このシャフトに前記開閉体或は装置本体のいずれか一方を取り付けると共に、前記軸受プレートの一側部或は両側部にフリクションプレートをその中心部に前記小径部を挿通させて配置させ、このフリクションプレートの一方或は両方の自由端面にスプリングワッシャーをその中心部に小径部を挿通させて配置させ、前記シャフトの雄ネジ部側よりさらに押え用ワッシャーをその中心部に該小径部を挿通させて取り付けて前記小径部の自由端側の前記スプリングワッシャーの自由端面側に当接させ、前記雄ネジ部に締付ナットを捻子着させて前記押え用ワッシャーを介して前記スプリングワッシャーとフリクションワッシャーが互いに圧接するように構成したものにおいて、前記小径部の前記押え用ワッシャーを挿通させる部分と前記雄ネジ部には、断面略楕円形状を呈し、扁平な部分に前記雄ネジ部の方向からテーパーをつけたテーパー変形部を設け、このテーパー変形部とこのテーパー変形部を挿通させる前記押え用ワッシャーの変形挿通孔とが互いに係合しつつ前記締付けナットで締め付けられることにより、前記押え用ワッシャーが前記スプリングワッシャーを押して前記フリクションワッシャーが隣接する部材に圧接されるように成すと共に、前記押え用ワッシャーの変形挿通孔が前記テーパー変形部へ圧入されるように成したことを特徴とする、チルトヒンジ。
【請求項２】
前記請求項１に記載のチルトヒンジにおいて、前記シャフトの大径部側に配置されたフリクションワッシャーを第１フリクションワッシャーとしてこれを軸受プレートに係合させ、前記シャフトの雄ネジ部側に配置されたフリクションワッシャーを第２フリクションワッシャーとして前記押え用ワッシャーに係合させ、フリクショントルクが、前記シャフトの大径部側において、第１フリクションワッシャーとスプリングワッシャーの間に発生し、前記シャフトの雄ネジ部側において軸受プレートと前記第２フリクションワッシャーとの間に生ずるように構成したことを特徴とする、チルトヒンジ。
【請求項３】
前記請求項１記載のチルトヒンジにおいて、前記軸受プレートの一側面の前記シャフトの大径部側には第１フリクションワッシャーのみをシャフトと係合させて配置し、前記軸受プレートの他側面の前記シャフトの雄ネジ部側には、第２フリクションワッシャー、スプリングワッシャー、及び押え用ワッシャーの順で配置して該第２フリクションワッシャーを軸受けプレートと係合せしめ、フリクショントルクが前記大径部側の第１フリクションワッシャーと前記軸受プレートの間、及び前記第２フリクションワッシャーと前記スプリングワッシャーとの間に生ずるように構成したことを特徴とする、チルトヒンジ。
【請求項４】
前記請求項１に記載のチルトヒンジにおいて、前記軸受プレートを挟んで左右に各々第１及び第２スプリングワッシャーと第１及び第２フリクションワッシャーを一対ずつ配置させ、各々の第１及び第２フリクションワッシャーと軸受プレートとを係合させることにより、フリクショントルクが前記第１及び第２フリクションワッシャーと前記第１及び第２スプリングワッシャーとの間に生ずるように構成したことを特徴とする、チルトヒンジ。
【請求項５】
各々のフリクションワッシャーの全部或は一部には、グリス溜りが設けられていることを特徴とする、請求項１乃至４のいずれかに記載のチルトヒンジ。
【発明の詳細な説明】
【０００１】
【発明の属する技術分野】
この発明は、とくにラップトップ型やノート型のワードプロセッサやパーソナルコンピュータ等のＯＡ機器のディスプレー体のような開閉体の開閉用として用いて好適なチルトヒンジに関する。
【０００２】
【従来の技術】
従来、この種のチルトヒンジとして、装置本体側へ取り付けられる軸受プレートにディスプレー体に取り付けられる回転シャフトを軸受けさせ、この回転シャフトと軸受プレーととの間に該回転シャフトをその中心部に挿通させた各種スプリングワッシャーやフリクションワッシャー等の各種ワッシャーを配置し、この各種ワッシャーを回転シャフトに捻子着させた締付ナットでシャフトに係合させた押え用ワッシャーを介して軸方向へ圧接させフリクションワッシャーとスプリングワッシャー及び又は軸受プレートとの間に、シャフト或は軸受プレートの回動に伴いフリクショントルクを創出させるようにしたものが公知である。
【０００３】
【発明が解決しようとする課題】
このように構成した従来公知のチルトヒンジは、シャフトとこのシャフトを挿通させる押え用ワッシャーの挿通孔との間に若干のガタがあるために、ディスプレー体の開閉操作に伴って正逆方向へ交互に回転するシャフト或は軸受プレートによって、押え用ワッシャーが若干動くことになり、この回転ガタによって長期間使用すると締付けナットが弛んでしまい、所期のフリクショントルクが減衰してしまうという問題があった。
【０００４】
この発明の目的は、各種ワッシャーを圧接させるのに押え用ワッシャーを介して締付用ナットで締付けるようにしたチルトヒンジにおいて、押え用ワッシャーと回転シャフトとの間にガタが生じないように工夫したチルトヒンジを提供せんとするにある。
【０００５】
【課題を解決するための手段】
上述した目的を達成するためにこの発明は、装置本体側、或はこの装置本体へ開閉可能に取り付けられる開閉体のいずれか一方へ取り付けられる取付部材の軸受プレートに大径部と小径部と雄ネジ部とを有するシャフトの小径部を軸受けさせ、このシャフトに前記開閉体或は装置本体のいずれか一方を取り付けると共に、前記軸受プレートの一側部或は両側部にフリクションプレートをその中心部に前記小径部を挿通させて配置させ、このフリクションプレートの一方或は両方の自由端面にスプリングワッシャーをその中心部に前記小径部を挿通させて配置させ、前記シャフトの雄ネジ部側よりさらに押え用ワッシャーをその中心部に該小径部と挿通させて取り付け前記小径部の自由端側の前記スプリングワッシャーの自由端面側に当接させ、前記雄ネジ部に締付ナットを捻子着させて前記押え用ワッシャーを介して前記スプリングワッシャーとフリクションワッシャーが互いに圧接するように構成したものにおいて、前記小径部の前記押え用ワッシャーを挿通させる部分と前記雄ネジ部には、断面略楕円形状を呈し、扁平な部分に前記雄ネジ部の方向からテーパーをつけたテーパー変形部を設け、このテーパー変形部とこのテーパー変形部を挿通させる前記押え用ワッシャーの変形挿通孔とが互いに係合しつつ前記締付けナットで締め付けられることにより、前記押え用ワッシャーが前記スプリングワッシャーを押して前記フリクションワッシャーが隣接する部材に圧接されるように成すと共に、前記押え用ワッシャーの変形挿通孔が前記テーパー変形部へ圧入されるように成したことを特徴とする。
【０００６】
その際にこの発明は、前記シャフトの大径部側に配置されたフリクションワッシャーを第１フリクションワッシャーとしてこれを軸受プレートに係合させ、前記シャフトの雄ネジ部側に配置されたフリクションワッシャーを第２フリクションワッシャーとしてこれを前記押え用ワッシャーに係合させ、フリクショントルクが、前記シャフトの大径部側において、第１フリクションワッシャーとスプリングワッシャーの間に発生し、前記シャフトの雄ネジ部側において軸受プレートと前記第２フリクションワッシャーとの間に生ずるように構成したり、或は前記軸受プレートの一側面の前記シャフトの大径部側には第１フリクションプレートのみをシャフトと係合させて配置し、前記軸受プレートの他側面の前記シャフトの雄ネジ部側には、第２フリクションワッシャー、スプリングワッシャー、及び押え用ワッシャーの順で配置して該第２フリクションワッシャーを軸受けプレートと係合せしめ、フリクショントルクが前記大径部側の第１フリクションワッシャーと軸受プレートの間、及び前記第２フリクションワッシャーと前記スプリングワッシャーとの間に生ずるように構成したり、或は前記軸受プレートを挟んで左右に各々第１及び第２スプリングワッシャーとフリクションワッシャーを一対づつ配置させ、各々のフリクションワッシャーと軸受プレートと係合させることにより、フリクショントルクが前記第１及び第２フリクションワッシャーと第１及び第２スプリングワッシャーとの間に生ずるように構成することができる。
【０００７】
そして、各々のフリクションワッシャーの全部或は一部には、グリス溜りを設けることができる。
【０００８】
【発明の実施の形態】
以下にこの発明に係るチルトヒンジをノート型のパーソナルコンピュータのディスプレー体のような開閉体を開閉するものとして説明するが、この発明に係るチルトヒンジは、かかるノート型のパーソナルコンピュータ以外にも、ワードプロセッサ、携帯用電話器、その他のラップトップ型のパーソナルコンピュータやワードプロセッサのディスプレー体、その他の開閉体の開閉用として、そのまま使用できるものである。
【０００９】
図面によれば、図１はこの発明に係るチルトヒンジを用いた、ノート型のパーソナルコンピュータである。１がキーボード等の装置本体、２がこの装置本体１の後部開閉可能に取り付けられた開閉体の１例であるディスプレー体である。この発明に係るチルトヒンジは、矢印Ａで示された個所に取り付けられている。
【００１０】
図２はその取付状態を示す一部正面断面図である。装置本体１側へその取付プレート３ａを取り付けた取付部材３の軸受プレート３ｂに、フリクション機構４を作用させた回転シャフト５が回転可能に軸受けされており、この回転シャフト５の取付部５ａがディスプレー体２の端部に固着されており、このディスプレー体２を開閉させると、回転シャフト５が共に回転し、その際にフリクション機構４が創出するフリクショントルクによって、ディスプレー体２を任意の使用開成角度で停止保持することができるようになっている。勿論、ここのところは、回転シャフト５を装置本体１側へ固定させ、取付部材３をディスプレー体２側へ取り付けて、ディスプレー体２の開閉操作と共に取付部材３が回転シャフト５を支点として回転するように構成しても良い。この場合には、回転シャフトは、固定シャフトとなるので、この明細書でシャフトと言った場合にはこの両者を含めている。
【００１１】
上述したフリクション機構４の構成は、図２と図３に示されている。図面によれば、回転シャフト５は大径部５ｂと小径部５ｃと雄ネジ部５ｅを有し、この雄ネジ部から小径部の一部にかけて、断面略楕円形状を呈し、扁平な部分に雄ネジ部５ｅの方向からテーパーをつけたテーパー変形部が設けられている。そして、小径部５ｃを取付部材３の軸受プレート３ｂに設けた軸受孔６に軸受けさせており、軸受けプレート３ｂと大径部５ｂの間に該軸受けプレート３ｂに接して例えば、ＳＵＳ（ステンレス鋼）或は燐青銅等の機械的強度と耐摩耗性を有する材料から成る第１フリクションワッシャー７がその中心部に設けた挿通孔７ａに小径部５ｃを挿通させつつ取り付けられている。尚、第１フリクションワッシャー７には係止片７ｂが設けられ、この係止片７ｂを軸受プレート３ｂに設けた係止溝３ｃへ係止させている。この第１フリクションワッシャー７と大径部５ｂとの間には、スプリングワッシャー８がその中心部に設けた挿通孔８ａへ小径部５ｃを挿通させつつ配置されている。
【００１２】
次に、軸受プレート３ｂの他側面側の雄ネジ部５ｅ側には、その中心部に設けた挿通孔９ａに小径部５ｃを挿通させつつもう一枚の例えば、ＳＵＳ（ステンレス鋼）或は燐青銅等の機械的強度と耐摩耗性に富んだ材料から成る第２フリクションワッシャー９が取り付けられている。この第２フリクションワッシャー９にも係止片９ｂが設けられている。
【００１３】
第２フリクションワッシャー９の自由端面側には、その中心部に設けた略楕円形状の変形挿通孔１０ａへテーパー変形部５ｄを圧入させて、押え用ワッシャー１０が当接されており、上述した第２フリクションワッシャー９の係止片９ｂをその外周に設けた係止溝１０ｂへ係止させている。
【００１４】
各第１及び第２フリクションワッシャー７と９には、各々挿通孔７ａ，９ａと連通した複数のグリス溜り７ｃ，９ｃが設けられており、潤滑性を保持するグリスがこのグリス溜り７ｃ，９ｃに充填されるようになっている。尚、このグリス溜り７ｃ，９ｃの構成は一列であって、他にも面部に設ける凹部或は小孔によって代えることができる。前記押え用ワッシャー１０の自由端面側には、テーパー変形部５ｄに設けた雄ネジ部５ｅに捻子着させた締付ナット１１が取り付けられることにより第１フリクションワッシャー７をスプリングワッシャー８に、第２フリクションワッシャー９を軸受プレート３ｂに圧接させると共に、押え用ワッシャー１０の変形挿通孔１０ａへテーパー変形部５ｄを圧入させ第２フリクションワッシャーをスプリングワッシャー８へ押圧させている。尚、締付ナット１１はロックタイト付きのものを使用した。
【００１５】
以上のように構成すると、回転シャフト５或は取付部材３を回転させることによって、第１フリクションワッシャー７とスプリングワッシャー８との間、及び第２フリクションワッシャー９と軸受プレート３ｂとの間にフリクショントルクが発生すると共に、回転シャフト５或は取付部材３の回転により押圧用ワッシャー１０に回転ガタが生ずることがない。
【００１６】
図４乃至図５は他の実施形態を示し、装置本体１側へその取付プレート１５ａを取り付けた取付部材１５の軸受プレート１５ｂに、フリクション機構１６を作用させた回転シャフト１７が回転可能に軸受けされており、この回転シャフト１７の取付部１７ａがディスプレー体２の端部に固着されており、ディスプレー体２を開閉させると、回転シャフト１７が共に回転し、その際にフリクション機構１６が創出するフリクショントルクによって、ディスプレー体２を任意の使用開成角度で停止保持することができるようになっている。勿論、ここのところは、回転シャフト１７を装置本体１側へ固定させ、取付部材１５をディスプレー体２側へ取り付けて、ディスプレー体２の開閉操作と共に取付部材１５が回転シャフト１７を支点として回転するように構成しても良い。
【００１７】
以下にこの実施形態における、フリクション機構１６の構成について説明する。図面によれば、図４乃至図５において、回転シャフト１７は大径部１７ｂと小径部１７ｃと断面略楕円形状を呈し、扁平な方向へテーパー変形部１７ｄとこのテーパー変形部１７ｄに設けた雄ネジ部１７ｅを有し、小径部１７ｃを取付部材１５の軸受プレート１５ｂに設けた軸受孔１８に軸受けさせており、軸受プレート１５ｂと大径部１７ｂの間に該軸受プレート１５ｂに接して例えば、ＳＵＳ（ステンレス鋼）或は燐青銅等の機械的強度と耐摩耗性を有する材料から成る第１フリクションワッシャー１９がその中心部に設けた挿通孔１９ａに小径部１７ｃを挿通させつつ取り付けられている。尚、この第１フリクションワッシャー１９には係止片１９ｂが設けられ、この係止片１９ｂを回転シャフト１７の大径部１７ｂに設けた係止溝１７ｆへ係止させている。
【００１８】
次に、軸受プレート１５ｂの他側面側の雄ネジ部１７ｅ側には、その中心部に設けた挿通孔２０ａに小径部１７ｃを挿通させつつもう一枚の例えば、ＳＵＳ（ステンレス鋼）或は燐青銅等の機械的強度と耐摩耗性に富んだ材料から成る第２フリクションワッシャー２０が取り付けられている。この第２フリクションワッシャー２０にも係止片２０ｂが設けられ、軸受プレート１５ｂに設けた係止溝１５ｃに係止させている。尚、この係止手段としては、軸受プレート１５ｂより係止突片を突設させ、この係止突片へ第２フリクションワッシャー２０を係止させても良い。この第２フリクションワッシャー２０の自由端面側には、その中心部に設けた挿通孔２１ａへ小径部１７ｃを挿通させて、スプリングワッシャー２１が当接されている。
【００１９】
各第１及び第２フリクションワッシャー１９と２０には、各々挿通孔１９ａ，２０ａと連通した複数のグリス溜り１９ｃ，２０ｃが設けられており、このグリス溜り１９ｃ，２０ｃ内に潤滑性を保持するグリスが充填保持されるようになっている。尚、このグリス溜りの構成は一列であって、他にも面部に設ける凹部或は小孔によって代えることができる。前記スプリングワッシャー２１の自由端面側には、その中心部に設けた平面略楕円形状の変形挿通孔２２をテーパー変形部１７ｄに挿通係合させて押え用ワッシャー２２が当設され、この押え用ワッシャー２２の自由端側には、雄ネジ部１７ｅに捻子着されて締付ナット２３が取り付けられている。
【００２０】
したがって、このことによって、第１フリクションワッシャー１９、第２フリクションワッシャー２０、スプリングワッシャー２１、及び押え用ワッシャー２２は一方向へ押圧され、押え用ワッシャー２２の変形挿通孔２２ａはテーパー変形部１７ｄに圧入されている。
【００２１】
以上のように構成すると、回転シャフト１７或は取付部材１５を回転させると、各々第１スプリングワッシャー２１及びフリクションワッシャーと軸受プレート１５ｂの間及び第２フリクションワッシャー２０とスプリングワッシャー２１との間にフリクショントルクが発生すると共に、押え用ワッシャー２２とテーパー変形部１７ｄとの間に回転ガタが生ずることがない。
【００２２】
図６と図７は他の実施形態を示し、装置本体１側へその取付プレート２５ａを取り付けた取付部材２５の軸受プレート２５ｂに、フリクション機構２６を作用させた回転シャフト２７が回転可能に軸受けされており、この回転シャフト２７の取付部２７ａがディスプレー体２の端部に固着されており、ディスプレー体２を開閉させると、回転シャフト２７が共に回転し、その際にフリクション機構２６が創出するフリクショントルクによって、ディスプレー体２を任意の使用開成角度で停止保持することができるようになっている。勿論、ここのところは、回転シャフト２７を装置本体１側へ固定させ、取付部材３をディスプレー体２側へ取り付けて、ディスプレー体２の開閉操作と共に取付部材２５が回転シャフトを支点として回転するように構成しても良い。
【００２３】
以下にこの実施形態における上述したフリクション機構２６の構成を説明する。図６と図７に示されているように、図面によれば、回転シャフト２７は大径部２７ｂと小径部２７ｃと断面略楕円形状を呈し、扁平な方向へテーパーを付けたテーパー変形部２７ｄとこのテーパー変形部２７ｄに設けた雄ネジ部２７ｅを有し、小径部２７ｃを取付部材２５の軸受プレート２５ｂに設けた軸受孔２８に軸受けされており、軸受プレート２５ｂと大径２７ｂの間に該軸受プレート２５ｂに接して例えば、ＳＵＳ（ステンレス鋼）或は燐青銅等の機械的強度と耐摩耗性を有する材料から成る第１フリクションワッシャー２９がその中心部に設けた挿通孔２９ａに小径部２７ｃを挿通させつつ取り付けられている。尚、第１のフリクションワッシャー２９には係止片２９ｂが設けられ、この係止片２９ｂを軸受プレート２５ｂに設けた係止孔２５ｃへ係止させている。この第１フリクションワッシャー２９と大径部２７ｂとの間には、第１スプリングワッシャー３０がその中心部に設けた挿通孔３０ａへ小径部２７ｃを挿通させつつ介在されている。
【００２４】
次に、軸受プレート２５ｂの他側面側の押すネジ部２７ｅ側には、その中心部に設けた挿通孔３１ａに小径部２７ｃを挿通させつつもう一枚の例えば、ＳＵＳ（ステンレス鋼）或は燐青銅等の機械的強度と耐摩耗性に富んだ材料から成る第２フリクションワッシャー３１が取り付けられている。この第２フリクションワッシャー３１にも係止片３１ｂが設けられ、軸受プレート２５ｂに設けた係止孔２５ｃに係止させている。尚、この係止位置は、軸受プレートに他の係止孔を設けて、そこに係止させても良い。さらに係止手段としては、先の第１フリクションワッシャー２９の場合も含めて、軸受プレート２５ｂより係止突片を突設させ、この係止突片へ各フリクションワッシャーを係止させても良い。或はこの係止突片と先の係止孔を組み合わせても良い。
【００２５】
第２フリクションワッシャー３１の自由端面側には、その中心部に設けた挿通孔３２ａへ小径部２７ｃを挿通させて、第２スプリングワッシャー３２が当接されている。
【００２６】
各第１及び第２フリクションワッシャー２９と３１には、各々挿通孔２９ａ，３１ａと連通した複数のグリス溜り２９ｃ，３１ｃが設けられており、潤滑性を保持するグリスが充填保持されるようになっている。尚、このグリス溜りの構成は一列であって、他にも面部に設ける凹部或は小孔によって代えることができる。前記第２スプリングワッシャー３２の自由端面側には、中心部に設けた変形挿通孔３３ａへテーパー変形部２７ｄに挿通係合させて押え用ワッシャー３３の自由端面側にはさらに締付ナット３４が雄ネジ部２７ｅに捻子着されている。このことによって、各ワッシャーは一方向へ押圧され、互いに圧接状態となると共に、押え用ワッシャー３３の変形挿通孔３３ａは、テーパー変形部２７ｄへ圧入され強固に固定される。
【００２７】
以上のように構成すると、回転シャフト或は取付部材を回転させことによって、各々第１及び第２フリクションワッシャーと第１及び第２スプリングワッシャーとの間にフリクショントルクが発生し、大きなフリクショントルクが得られる上に、押え用ワッシャーに回転ガタが生ずることがない。。
【００２８】
以上の実施形態において、各フリクションワッシャーをシャフトに固定させる手段に限定はない。それは例えば小径部に変形軸部或は係止溝を設け、この変形軸部或は溝部と各フリクションワッシャーの挿通孔が係合するように構成しても良い。さらに、各フリクションワッシャーを軸受プレートに係止する手段は、係止以外に係止溝であっても良いし、軸受プレートより係止片を突設させて、この係止片に各フリクションワッシャーが係止される構成としても良い。要するに軸受プレートに係止固定されれば足りる。このことは、各フリクションワッシャーを押え用ワッシャーに係止させる場合でも同じである。要するに押え用ワッシャーに係止或は固定されれば足りる。
【００２９】
【発明の効果】
この発明は以上のように構成したので、次のような効果を奏し得る。
【００３０】
請求項１のように構成すると、押え用ワッシャーの変形挿通孔が回転シャフトのテーパー変形部へ圧入されるために、ディスプレー体のような開閉体の開閉操作により、押え用ワッシャーに所謂回転ガタが生じないことから、長期間使用しても締付ナットに弛みが生ずることがないという効果を奏し得る。
【００３１】
請求項２のように構成すると、第１フリクションワッシャーとスプリングワッシャーの間、及び第２フリクションワッシャーと軸受プレートとの間にフリクショントルクが発生した上で、上述した請求項１と同じ効果を奏し得る。
【００３２】
請求項３のように構成すると、第１フリクションワッシャーと軸受プレーとの間、及び第２フリクションワッシャーとスプリングワッシャーとの間にフリクショントルクが発生した上で、上述した請求項１と同じ効果を奏し得る。
【００３３】
請求項４のように構成すると、各々第１及び第２フリクションワッシャーと第１及び第２スプリングワッシャーとの間にフリクショントルクが発生した上で、請求項１と同じ効果を奏し得る。
【００３４】
請求項５のように構成すると、フリクションワッシャーの摩擦面に永年に渡って潤滑剤が供給されるので、摩耗によりフリクショントルクが減退したり、異音やきしみ音の発生することを防止することができるものである。
【図面の簡単な説明】
【図１】この発明に係るチルトヒンジを使用したラップトップ型のパーソナルコンピュータの斜視図である。
【図２】この発明に係るチルトヒンジを説明する一部断面正面図である。
【図３】図２に示したチルトヒンジの分解斜視図である。
【図４】この発明に係るチルトヒンジの他の実施形態を説明する一部断面正面図である。
【図５】図４に示したチルトヒンジの分解斜視図である。
【図６】この発明に係るチルトヒンジの他の実施形態を説明する一部断面正面図である。
【図７】図６に示したチルトヒンジの他の実施の形態を示す分解斜視図である。
【符号の説明】
１  装置本体
２  開閉体（ディスプレー体）
３，１５，２５  取付部材
３ａ，１５ａ，２５ａ  取付プレート
３ｂ，１５ｂ，２５ｂ  軸受プレート
４，１６，２６  フリクション機構
５，１７，２７  回転シャフト
５ｂ，１７ｂ，２７ｂ  大径部
５ｃ，１７ｃ，２７ｃ  小径部
５ｄ，１７ｄ，２７ｄ  テーパー変形部
５ｅ，１７ｅ，２７ｅ  雄ネジ部
７，１９，２９  第１フリクションワッシャー
７ｂ，１９ｂ，２９ｂ  係止片
７ｃ，１９ｃ，２９ｃ  グリス溜り
８，２１  スプリングワッシャー
９，２０，３１  第２フリクションワッシャー
１０，２２，２３  押え用ワッシャー
１１，２３，３４  締付ナット
３０  第１スプリングワッシャー
３１  第２スプリングワッシャー
【図１】
0003798899.tif 000002
【図２】
0003798899.tif 000003
【図３】
0003798899.tif 000004
【図４】
0003798899.tif 000005
【図５】
0003798899.tif 000006
【図６】
0003798899.tif 000007
【図７】
0003798899.tif 000008